(57)【特許請求の範囲】
【請求項１】
ベニヤ単板切削用ナイフ（１０）の刃底に螺合した刃先高さ調整用ボルト（１２）の固定方法であって、刃先を上方に向けた状態において前記調整用ボルト（１２）による高さ調整完了後、前記調整用ボルト（１２）の進み側フランク（１２ｂ）と前記刃底の調整ボルト挿入用ネジ孔（１４）の下側フランク（１０ａ）とを接触させた状態を維持しつつ、前記調整用ボルト（１２）を調整ボルト固定用部材（２０，２１）によって固定することを特徴とするベニヤ単板切削用ナイフの刃先高さ調整用ボルトの固定方法。
【請求項２】
前記調整用ボルト（１２）の前記調整ボルト固定用部材（２０，２１）による固定を、前記調整用ボルト（１２）に前記刃底との間に隔りを設けて螺合されてなる調整ボルト固定用部材（２０，２１）を、前記調整用ボルト（１２）の進み側へ押圧・固定することにより行う請求項１記載のベニヤ単板切削用ナイフにおける刃先高さ調整用ボルトの固定方法。
【請求項３】
前記調整用ボルト（１２）の前記調整ボルト固定用部材（２０，２１）による押圧・固定を、前記調整ボルト固定用部材（２０，２１）に遊嵌された締付けボルト（１６）を、前記刃底に螺合、締め付けることにより行う請求項２記載のベニヤ単板切削用ナイフの刃先高さ調整用ボルトの固定方法。
【請求項４】
刃先高さを調整するためにナイフ（１０）の刃底に螺合した調整用ボルト（１２）と、該調整用ボルト（１２）に並設され且つ前記刃底に螺合した締付けボルト（１６）と、前記調整用ボルト（１２）と螺合し前記締付けボルト（１６）を遊嵌する調整ボルト固定用部材（２０，２１）を前記刃底と間を隔てて設けたことを特徴とするベニヤ単板切削用ナイフ。
【請求項５】
前記刃底との間を隔てて設ける手段を、該調整用ボルト（１２）に並設され且つ前記調整ボルト固定用部材（２０，２１）に螺合した間隔調整ボルト（２６）によって行う請求項４記載のベニヤ単板切削用ナイフ。
【請求項６】
前記調整用ボルト（１２）の前記調整ボルト固定用部材（２１）による固定を、前記刃底に当接又は近接し且つ側部の一部分が前記調整用ボルト（１２）に当接又は近接してなる調整ボルト固定用部材（２１）を、前記調整用ボルト（１２）の進み方向と直交する方向に変形させ、該調整ボルト固定用部材（２１）を前記調整用ボルト（１２）の外周に押圧・固定することにより行う請求項１記載のベニヤ単板切削用ナイフの刃先高さ調整用ボルトの固定方法。
【請求項７】
前記調整用ボルト（１２）の前記調整ボルト固定用部材（２１）による変形・固定を、前記調整ボルト固定用部材（２１）に遊嵌された締付けボルト（１６）を、前記刃底に螺合、締め付けることにより行う請求項６記載のベニヤ単板切削用ナイフの刃先高さ調整用ボルトの固定方法。
【請求項８】
前記調整用ボルト（１２）の前記調整ボルト固定用部材（２１）による変形・固定を、前記調整ボルト固定用部材（２１）の締付けボルト（１６）を、前記調整用ボルト（１２）の進み方向と直交する方向に締め付けることにより行う請求項６記載のベニヤ単板切削用ナイフの刃先高さ調整用ボルトの固定方法。
【請求項９】
刃先高さを調整するために該ナイフ（１０）の刃底に螺合した調整用ボルト（１２）と、該調整用ボルト（１２）に並設され且つ該刃底に螺合した締付けボルト（１６）と、側部の一部分が前記調整用ボルト（１２）に当接又は近接し且つ前記締付けボルト（１６）を遊嵌する調整ボルト固定用の弾性部材（２１）を前記刃底に当接又は近接するように設けたことを特徴とするベニヤ単板切削用ナイフ。
【発明の詳細な説明】
【０００１】
【産業上の利用分野】
本発明は、ベニヤレースで使用するベニヤ単板切削用ナイフにおける刃先高さの調整用ボルトを固定する方法及びベニヤ単板切削用ナイフに関する。
更に詳しくは、ナイフセッティングゲージを用いて研磨済みナイフの刃先高さを設定する際に、ナイフの刃底に備えた調整用ボルトを回して行なう調整作業の簡便化を図るとともに、調整完了後のボルトの緩み、更には切削中に切削抵抗により刃先高さが狂うのを防止するものである。
【０００２】
【従来の技術】
従来の原木を切削するベニヤ単板切削用ナイフは、図１２のようにナイフ１０の刃底に調整用ボルト１２が螺合され、その調整用ボルト１２にはダブルナットのために補助ナット１２ａが螺合されている。つまり、研磨済みナイフ１０の刃先高さを特定高さにするために調整用ボルト１２を回して行なう調整作業の後、補助ナット１２ａを締付け、調整用ボルト１２を固定していた。
この調整法は、調整用ボルト１２と補助ナット１２ａの拡大図である図１３のように、先ず調整用ボルト１２の調整後には直接に荷重を受ける圧力側フランクは、互いに接触させた状態の調整用ボルト１２の進み側フランク１２ｂと、ナイフ１０刃底の調整ボルト用ネジ孔１４の下側フランク１０ａとである。次に、補助ナット１２ａが刃底に当接し回された時にはナイフ１０は押し上げられ、ナイフ１０の自重によるところの、調整用ボルト１２の進み側フランク１２ｂへの荷重は無くなりナイフ１０の刃底は補助ナット１２ａの上に載置した状態となる。更に補助ナット１２ａを回し、図１４のようにナイフ１０の上側フランク１０ｂが調整用ボルト１２の追い側フランク１２ｃに接触し、補助ナット１２ａの締付けが終わった状態では、圧力側フランクは、調整用ボルト１２の進み側フランク１２ｂと補助ナット１２ａの追い側フランク１２ｄ及び調整用ボルト１２の追い側フランク１２ｃとナイフ１０の上側フランク１０ｂとになる。
【０００３】
【発明が解決しようとする課題】
第１に、調整用ボルトでの調整後、その固定のためにナイフはバックラッシュ分、補助ナットに押し上げられるために刃先高さに狂いが生じる。そのために、ベニヤ単板切削用ナイフの刃先高さを調整する時に、調整用ボルトを逆に緩めては補助ナットを締めることを繰り返す熟練を要した再調整が必要となる。第２に、ナイフは切削中に下向きの荷重を受けるが、調整用ボルトの進み側フランクに対しねじ山数の少ない補助ナットの追い側フランクに負荷がかかり、補助ナットの緩みや変形を招く。その為切削中にナイフ１０の刃先が下がってしまうという問題が発生した。また、その負荷を分散するために調整用ボルト及び補助ナットの設置数を増やすことは調整作業の回数が増加し面倒となる。
【０００４】
【課題を解決するための手段】
本発明の上記課題を解決するために、本発明の構成は、ベニヤ単板切削用ナイフ（１０）の刃底に螺合した刃先高さ調整用ボルト（１２）の固定方法であって、刃先を上方に向けた状態において前記調整用ボルト（１２）による高さ調整完了後、前記調整用ボルト（１２）の進み側フランク（１２ｂ）と前記刃底の調整ボルト挿入用ネジ孔（１４）の下側フランク（１０ａ）とを接触させた状態を維持しつつ、前記調整用ボルト（１２）を調整ボルト固定用部材（２０，２１）によって固定するものである。なお、「上方」とは、ベニヤレースにナイフを装着時のナイフの長手方向と直交する方向に傾いた場合も含む。「進み側フランク」とは、ねじ込みの際、ボルトの進行方向に対面するねじ山の斜面をいい、「下側フランク」とは、刃先を上方に向けた状態において刃底の調整ボルト挿入用ネジ孔のねじ山の下側斜面をいう。
また、前記調整用ボルト（１２）の前記調整ボルト固定用部材（２０，２１）による固定を、前記調整用ボルト（１２）に前記刃底との間に隔りを設けて螺合されてなる調整ボルト固定用部材（２０，２１）を、前記調整用ボルト（１２）の進み側へ押圧・固定することにより行う。
更に、前記調整用ボルト（１２）の前記調整ボルト固定用部材（２０，２１）による押圧・固定を、前記調整ボルト固定用部材（２０，２１）に遊嵌された締付けボルト（１６）を、前記刃底に螺合、締め付けることにより行う。
上記調整用ボルトの固定方法を実施するベニヤ単板切削用ナイフは、刃先高さを調整するためにナイフ（１０）の刃底に螺合した調整用ボルト（１２）と、該調整用ボルト（１２）に並設され且つ前記刃底に螺合した締付けボルト（１６）と、前記調整用ボルト（１２）と螺合し前記締付けボルト（１６）を遊嵌する調整ボルト固定用部材（２０，２１）を前記刃底と間を隔てて設けたものである。特に、ベニヤ単板切削用ナイフにおける前記刃底との間を隔てて設ける手段を、該調整用ボルト（１２）に並設され且つ前記調整ボルト固定用部材（２０）に螺合した間隔調整ボルト（２６）によって行う。
【０００５】
次に、本発明における前記調整用ボルト（１２）の前記調整ボルト固定用部材（２１）による固定を、前記刃底に当接又は近接し且つ側部の一部分が前記調整用ボルト（１２）に当接又は近接してなる調整ボルト固定用部材（２１）を、前記調整用ボルト（１２）の進み方向と直交する方向に変形させ、該調整ボルト固定用部材（２１）を前記調整用ボルト（１２）の外周に押圧・固定することにより行う。なお「近接」とは、他の部材を介して連続的に当接している場合を含む。
また、前記調整用ボルト（１２）の前記調整ボルト固定用部材（２１）による変形・固定を、前記調整ボルト固定用部材（２１）に遊嵌された締付けボルト（１６）を、前記刃底に螺合、締め付けることにより行う。
更に、前記調整用ボルト（１２）の前記調整ボルト固定用部材（２１）による変形・固定を、前記調整ボルト固定用部材（２１）の締付けボルト（１６）を、前記調整用ボルト（１２）の進み方向と直交する方向に締め付けることにより行う。
上記調整用ボルトの固定方法を実施するベニヤ単板切削用ナイフは、刃先高さを調整するために該ナイフ（１０）の刃底に螺合した調整用ボルト（１２）と、該調整用ボルト（１２）に並設され且つ該刃底に螺合した締付けボルト（１６）と、側部の一部分が前記調整用ボルト（１２）に当接又は近接し且つ前記締付けボルト（１６）を遊嵌する調整ボルト固定用の弾性部材（２１）を前記刃底に当接又は近接するように設けたものである。
【０００６】
【実施例】
本発明に係るベニヤ単板切削用ナイフを図面に基いて説明する。
図１は、研磨済みナイフの刃先高さを設定するナイフセッティングゲージ１の正面図である。１０はベニヤレースの鉋台にセットされるベニヤ単板切削用ナイフであって、刃先高さまでの長さＬを、ナイフ１０の刃底に螺合する調整用ボルト１２で調整する。
図２は図１の側面図であって、ナイフ１０の横幅方向に所定間隔をおいて複数の調整用ボルト１２が螺合されている。
【０００７】
実施例１
図３はそのうちの１つの調整用ボルト付近の拡大図であって、ナイフ１０の刃底には、調整用ボルト１２を螺合する調整ボルト挿入用ネジ孔１４と、締付けボルト１６を螺合する締付けボルト挿入用ネジ孔１８がそれぞれ穿設されている。２０は剛性のある固定用部材であって、一方の側部には調整用ボルト１２を螺合する調整ボルト挿通用ネジ孔２２が、中央部には締付けボルト１６を遊嵌してそのねじ頭が係合する締付けボルト遊嵌用挿通孔２４が、他方の側部には調整用ボルト１２に並設され刃底との間を隔てる間隔調整ボルト２６を螺合する間隔調整ボルト挿入用ネジ孔２７がそれぞれ設けられ、常態において調整ボルト固定用部材２０は刃底に接触しないよう調整用ボルト１２に設けられている。
【０００８】
この調整ボルト固定用部材２０を用いた固定方法は、先ず刃先を上方に向けた状態においてナイフ１０の刃先高さを特定高さにするために調整用ボルト１２を回して調整する。この時調整用ボルト１２を回動すると調整ボルト固定用部材２０も回動しようとするが、締付けボルト１６に遊嵌されているからそのまま調整用ボルト１２を回すことができる。なお、上方に向けた状態は、ナイフをベニヤレースに取り付けたように刃厚を示す面におけるナイフの長手方向と直交する方向に傾けて調整する場合であってもよい。
次に、間隔調整ボルト２６により調整ボルト固定用部材２０を刃底と平行又は略平行に調整した後締付けボルト１６を締付けると、締付けボルト１６の頭部は調整ボルト固定用部材２０を押圧し、しかも該調整ボルト固定用部材２０を刃底に対し平行又は略平行状態を保持したまま調整用ボルト１２の進行方向に調整用ボルト１２を押圧する。調整用ボルト１２は刃底に対して直交した状態を保ちながら、図４に示すように調整用ボルト１２の進み側フランク１２ｂと刃底の挿入用ネジ孔１４の下側フランク１０ａとを接触させた状態で、押圧・固定される。この為、上述のように螺合された調整用ボルト１２は、切削中に高荷重が加わっても調整ボルト１２に曲がりが発生しないので、刃先高さが変わることはない。
【０００９】
実施例２
上記実施例１では、刃底との間の隔たりを間隔調整ボルト２６により調整しており、特に調整用ボルト１２が刃底より長く出ている場合に固定した調整用ボルト１２が刃底に対し傾きが生じ切削中に高荷重が加わって曲がることにより刃先高さが変わることを防止するのに有効であるが、図５に示すように調整ボルト固定用部材２０に間隔調整ボルト２６を用いずに調整ボルト固定用部材２０により調整用ボルト１２を螺合、締付けることもできる。
実施例３
また、上記実施例１，２では、調整ボルト固定用部材２０における調整ボルト挿通用ネジ孔２２の片側に締付けボルト遊嵌用挿通孔２４を並設しているが、図６のように調整ボルト挿通用ネジ孔２２の両側、又は調整ボルト挿通用ネジ孔２２の３側面以上に締付けボルト遊嵌用挿通孔２４を複数設ければ、調整用ボルト１２の進行方向への押圧力が均等に分散され、上記実施例１と同様に調整用ボルト１２は刃底に対して直交して固定されるとともに固定力を高めることができる。同様に、隣接する複数の調整用ボルトに対し１つの調整ボルト固定用部材を共用するために、調整ボルト固定用部材の剛性力にもよるが、ナイフ１０の横幅方向に長くなった調整ボルト固定用部材に少なくとも１つずつ調整用ボルト及び締付けボルトを設けることにより、締付けボルトの個数を減少でき調整作業の簡略化ができる。
実施例４
上記実施例では、調整用ボルト１２に対しそのねじ部を兼用して螺合するための調整ボルト挿通用ネジ孔２２を設けているが、図７のように調整用ボルト１２のねじ部に半割り部２８を設け、その半割り部２８に調整ボルト固定用部材２０の一端を係合して調整用ボルト１２の進行方向へ押圧力を与えて固定することもできる。本実施例では、調整用ボルト１２の進み側へ調整ボルト固定用部材２０による押圧・固定が簡単に解除できるので交換が容易である。
【００１０】
実施例５
上記実施例１ないし４は調整ボルト固定用部材の材質が剛性材であったのに対し、実施例５以下ではシリコンゴム等のゴム材の他、ばね材等の弾性材とすることに特長がある。
調整ボルト固定用部材２１は、図８のように一端を、刃先高さを調整するためにナイフ１０の刃底に螺合した調整用ボルト１２に当接する位置に設け、他端には刃底に螺合した締付けボルト１６を遊嵌する締付けボルト遊嵌用挿通孔２４を設けて、締付けボルト１６によりワッシャー１７を介して刃底に近接させている。なお、調整ボルト固定用部材２１の一端は、常態において調整用ボルト１２に近接せずワッシャーを介さず当接してもよい。
【００１１】
この弾性体の調整ボルト固定用部材２１を用いた固定方法は、ナイフ１０の刃先高さを特定高さにするために調整用ボルト１２を調整完了後、締付けボルト１６を刃底に螺合、締付けることにより、図９のように調整ボルト固定用部材２１を変形させるから、調整用ボルト１２を進行方向と直交する方向に押圧して固定することができる。
【００１２】
実施例６
上記実施例５では締付けボルト１６を調整用ボルト１２に対し並設しているが、図１０のように刃底から突出する取り付け部１１を延設し、締付けボルト１６を調整用ボルト１２に対し直交するように設け、その締付けボルト１６の先端に調整ボルト固定用部材２１を固着又は回動自在に係着することにより、締付けボルト１６の頭部と刃底との挟持による変形によらず、直接に調整用ボルト１２の進行方向と直交する方向に押圧して、変形・固定することもできる。特に締付け前に調整ボルト固定用部材２１を調整用ボルト１２に当接させず、近接する位置に設ければ調整用ボルト１２の回動が楽である。また、締付けボルト１６と調整ボルト固定用部材２１との間にばね部材を介して調整ボルト固定用部材２１を付勢し強く固定してもよい。
なお、締付けボルト１６の回動により調整ボルト固定用部材２１の一端が、調整用ボルト１２に当接又は近接する位置からずれないために、実施例５では調整ボルト固定用部材２１に締付けボルト１６を遊嵌させ、実施例６では調整ボルト固定用部材２１を締付けボルト１６に固着又は回動自在に係着させているが、調整ボルト固定用部材を刃底に固着、接着又は係着するとともに、調整ボルト固定用部材の一端を、並設した締付けボルト１６の頭部で直接に又はてこ部材を介して調整用ボルトの進み方向と直交する方向に変形させ、調整ボルト固定用部材の他端を調整用ボルトの外周に押圧・固定することができる。
【００１３】
実施例７
また、上記実施例５では調整用ボルト１２の片側に当接又は近接するために調整ボルト固定用部材２１の一端を配置させたが、図１１のように調整用ボルト１２を挿通する遊嵌孔２３を調整ボルト固定用部材２１に設けることで、締付けボルト１６の締付けにより、調整用ボルトの１２の全周にわたって調整ボルト固定用部材２１を圧着させ固定することができる。
【００１４】
【発明の効果】
本発明によれば、調整用ボルトでの調整後、ナイフをバックラッシュ分、押し上げる従来の補助ナットに代わって、調整用ボルトの進み側フランクと前記刃底の調整ボルト挿入用ネジ孔の下側フランクとを接触させた状態を維持しつつ固定するから、刃先高さに狂いが生じず、刃先高さ調整が精度よく行える。また、ナイフセッティングゲージでベニヤ単板切削用ナイフの刃先高さを調整する時に調整用ボルトを逆に緩めては補助ナットを締めることを繰返す熟練を要した調整が不要となる。
また、ナイフが切削中に受ける下向きの荷重は、ナイフの下側フランクから調整用ボルトの進み側フランクに対しかかるから、従来のような補助ナットの緩みや変形を招くことがなく、長時間のベニヤレースの運転が可能となる。
そして、ベニヤ単板切削用ナイフにおいて調整ボルト固定用部材に間隔調整ボルトを設けているから、長い調整ボルトが刃底に対し直交せず切削中に高荷重がかかって曲がり刃先高さが変わることを防止できる。従って、ナイフ刃先が下がることにより発生する切削ベニヤ単板の切削面の荒れ、いわゆる肌荒現象が起きないので、品質の良い単板が得られる。特に、薄いベニヤ単板を切削する場合には有効である。
次に調整用ボルトの固定方法においては、調整用ボルトを調整ボルト固定用部材によって刃底に固定するために、調整用ボルトに刃底との間に隔りを設けて螺合されてなる調整ボルト固定用部材を、調整用ボルトの進み側へ押圧・固定するから、調整用ボルト及び調整ボルト固定用部材等の自重が大きい場合でもナイフセッティングゲージからベニヤレースに移動させる間に調整用ボルトの進み側と反対方向へずれることがない。また、前記調整ボルト固定用部材による押圧・固定を、前記調整ボルト固定用部材に遊嵌された締付けボルトを、刃底に螺合、締め付けることにより行うから、締付け力が経時変化しにくい。
【００１５】
更に、調整用ボルトを調整ボルト固定用部材によって刃底に固定するために、前記刃底に当接又は近接し且つ側部の一部分が前記調整用ボルトに当接又は近接してなる調整ボルト固定用部材を、前記調整用ボルトの進み方向と直交する方向に変形させ、前記調整用ボルトの外周に押圧・固定するから、調整ボルトの進行方向に過剰負荷を付与せず調整した刃先高さに影響がない上、調整用ボルト及び調整ボルト固定用部材等の自重が小さい場合調整ボルト固定用部材は小さくなり、ベニヤ単板切削用ナイフを軽量化できる。また、前記調整ボルト固定用部材による変形・固定を、前記調整ボルト固定用部材に遊嵌された締付けボルトを、前記刃底に螺合、締め付けることにより、又は前記調整ボルト固定用部材の締付けボルトを、前記調整用ボルトの進み方向と直交する方向に締め付けることにより行うから、経時変化した調整ボルト固定用部材の交換が容易である。
【図面の簡単な説明】
【図１】本発明に係る研磨済みベニヤ単板切削用ナイフの刃先高さを設定するナイフセッティングゲージの正面図である。
【図２】図１の側面図である。
【図３】１組の調整用ボルト等の断面拡大図である。
【図４】図３のねじ山の説明図である。
【図５】実施例２の説明図である。
【図６】実施例３の説明図である。
【図７】実施例４の説明図である。
【図８】実施例５の締付けボルトを締付ける前の説明図である。
【図９】図９の締付け後の説明図である。
【図１０】実施例６の説明図である。
【図１１】実施例７の説明図である。
【図１２】従来のベニヤ単板切削用ナイフをベニヤレースに取り付けた正面図である。
【図１３】従来の補助ナットを締付ける前のねじ山の説明図である。
【図１４】図１３の締付け後のねじ山の説明図である。
【符号の説明】
１・・ナイフセッティングゲージ、１０・・ナイフ、１２・・調整用ボルト、１４・・調整ボルト挿入用ネジ孔、１６・・締付けボルト、１８・・締付けボルト挿入用ネジ孔、２０、２１・・調整ボルト固定用部材、２２・・調整ボルト挿通用ネジ孔、２３・・遊嵌孔、２４・・締付けボルト遊嵌用挿通孔、２６・・間隔調整ボルト、２８・・半割り部。
【図１】
0003579103.tif 000002
【図２】
0003579103.tif 000003
【図３】
0003579103.tif 000004
【図４】
0003579103.tif 000005
【図５】
0003579103.tif 000006
【図６】
0003579103.tif 000007
【図７】
0003579103.tif 000008
【図８】
0003579103.tif 000009
【図９】
0003579103.tif 000010
【図１０】
0003579103.tif 000011
【図１１】
0003579103.tif 000012
【図１２】
0003579103.tif 000013
【図１３】
0003579103.tif 000014
【図１４】
0003579103.tif 000015